(57)【要約】【課題】メリハリのある体感振動が得られるものとする。【解決手段】電気信号を機械的振動に変換するトランスデューサー２と、入力された音楽信号を増幅してトランスデューサー２を駆動するアンプ部１４を備える。また、入力された音楽信号をモード切替スイッチの切替に応じてイコライズするイコライズ部を備える。特定の周波数域を強調したメリハリのある体感振動を得ることができる。【選択図】　図１
2004023488.tif 000002
【特許請求の範囲】
【請求項１】
電気信号を機械的振動に変換するトランスデューサーを備えるとともに、入力された音楽信号を増幅して上記トランスデューサーを駆動するアンプ部を備えた体感音響装置において、入力された音楽信号をモード切替スイッチの切替に応じてイコライズするイコライズ部を備えていることを特徴とする体感音響装置。
【請求項２】
イコライズ部はカットオフ周波数及び増幅度の切替を行うものであることを特徴とする請求項１記載の体感音響装置。
【請求項３】
トランスデューサーに供給する電気信号を生成する信号生成部を備えていることを特徴とする請求項１記載の体感音響装置。
【発明の詳細な説明】
【０００１】
【発明の属する技術分野】
本発明は人体に体感振動を与えることができる音響振動装置に関するものである。
【０００２】
【従来の技術】
電気信号を機械的振動に変換するトランスデューサー（スピーカーを含む）を椅子やベッドなどに組み込み、該トランスデューサーに電気信号（音楽信号）を供給することで椅子やベッドの利用者に体感振動を与えることができる体感音響装置がある。
【０００３】
【発明が解決しようとする課題】
従来のこの種の体感音響装置では、トランスデューサーに供給する音楽信号について、音量（振動量）の制御機能を備えているだけであり、入力供給される音楽信号全てに対して増幅を行ってトランスデューサーに供給していたために、振動が断続的に続いてメリハリの無いものとなっていた。
【０００４】
また、従来のものは音楽信号が入力供給されないことには体感振動を得ることができないものであった。
【０００５】
本発明はこのような点に鑑みなされたものであって、その目的とするところはメリハリのある体感振動を得ることができる体感音響装置を提供するにあり、他の目的とするところは音楽信号が入力供給されない時にも体感振動を得ることができる体感音響装置を提供するにある。
【０００６】
【課題を解決するための手段】
しかして本発明は、電気信号を機械的振動に変換するトランスデューサーを備えるとともに、入力された音楽信号を増幅して上記トランスデューサーを駆動するアンプ部を備えた体感音響装置において、入力された音楽信号をモード切替スイッチの切替に応じてイコライズするイコライズ部を備えていることに特徴を有している。
【０００７】
ここにおけるイコライズ部はカットオフ周波数及び増幅度の切替を行うものが好ましい。
【０００８】
また、トランスデューサーに供給する電気信号を生成する信号生成部を備えていることが好ましい。
【０００９】
【発明の実施の形態】
以下本発明を実施の形態の一例に基づいて詳述すると、図１に示すように、この体感音響装置は制御駆動回路１とトランスデューサー２と操作器３とからなるもので、音楽信号が入力供給される入力端子を備える制御駆動回路１は、中央演算処理装置（以下ＭＰＵ）１０と電子ボリューム１３とアンプ部１４、そしてカットオフ周波数の切替のためのローパスフィルタ（ＬＰＦ）１１とセレクタ１２とを備えている。
【００１０】
ここでセレクタ１２は、入力信号（音楽信号）をダイレクトに取り込むか上記ローパスフィルタ１１を介して取り込むかの選択を行うもので、セレクタ１２を通過した音楽信号は電子ボリューム１３を経てアンプ部１４で増幅されてトランスデューサー５に供給される。
【００１１】
上記操作器３は図３に示すように、オンオフスイッチ３０と、モード切替スイッチ３１，３２と振動量調節スイッチ３３と音量調節スイッチ３４とサラウンドスイッチ３５とミュートスイッチ３６とを備えたものであり、モード切替スイッチ３１は図示例では「パワーシネマ」と「パワーライブ」と「リラックス音楽」の３つのモードを切り換えることができるようになっている。
【００１２】
ここで、「パワーシネマ」のモードは映画鑑賞用として設定したもので、このモードにセットしたならば、操作器３が接続されているＭＰＵ１０はセレクタ１２を入力信号がローパスフィルタ１１側に切り換えて、入力信号のうち、衝撃音や爆発音などの低い周波数帯域のみをアンプ部１４で再生する。
【００１３】
「パワーライブ」及び「リラックス音楽」のモードは音楽用に設定したもので、入力信号はローパスフィルタ１１を経ることなくダイレクトに入力される。従って、高音域やボーカルなども再生されることになる。なお、「パワーライブ」のモードと「リラックス音楽」のモードとでは、後者の方の電子ボリューム１３の調節段階数を細かく設定している点で相違する。「パワーライブ」のモードでは強い振動が、「リラックス音楽」のモードでは心地良い細かい振動が得られるようにしているものである。従って本例においては、ローパスフィルタ１１とセレクタ１２、電子ボリューム１３、そしてＭＰＵ１０でイコライズ部が構成されていることになる。
【００１４】
そしてモード切替スイッチ３２はくつろぎコース用に設けたものであり、ここでは「ウェーブ」と「リズム」と「パルス」の３つのモードを切り換えることができるようにしているが、これらのモードにセットした時、トランスデューサー４にはＭＰＵ１０で生成された周波数と振幅の信号がセレクタ１２と電子ボリューム１３とアンプ部１４を介して供給される。この時、トランスデューサー２が持っている共振周波数またはその周辺の周波数またはその組み合わせの振動がトランスデューサー２で再生されるようにしており、入力信号（音楽信号）が無くても使用者に体感振動を与えることができるものである。もちろん、入力信号（音楽信号）が入力されている場合には、これにＭＰＵ１０で生成した信号が重畳された形でトランスデューサー２に供給されるようにしていてもよい。なお、上記の３つのモードで供給される信号のデータは、ＭＰＵ１０に予めプログラムしており、選択されたモードに応じた信号が生成される。
【００１５】
【発明の効果】
以上のように本発明においては、電気信号を機械的振動に変換するトランスデューサーを備えるとともに、入力された音楽信号を増幅して上記トランスデューサーを駆動するアンプ部を備えた体感音響装置において、入力された音楽信号をモード切替スイッチの切替に応じてイコライズするイコライズ部を備えているために、特定の周波数域を強調したメリハリのある体感振動を得ることができる。
【００１６】
ここにおけるイコライズ部はカットオフ周波数及び増幅度の切替を行うものが目的用途に応じた振動を使用者に提供することができる点で好ましい。
【００１７】
また、トランスデューサーに供給する電気信号を生成する信号生成部を備えていると、音楽信号が入力供給されない時にも体感振動を得ることができる。
【図面の簡単な説明】
【図１】本発明の実施の形態の一例のブロック回路図である。
【図２】同上の操作器の正面図である。
【符号の説明】
２　トランスデューサー
１１　ローパスフィルター
１２　セレクタ
１３　電子ボリューム
１４　アンプ部
【図１】
2004023488.tif 000003
【図２】
2004023488.tif 000004